(57)【要約】【課題】街路樹等の根上がりを生ずることなく、その上施工、移植、撤去などがきわめて容易な樹木の設置方法を提供する。【解決手段】管状体１を公道や公道周囲又は公共施設敷地内などの地中に埋設し、この管状体１内に土５を投入して樹木２０を植え込んだ。また、上記の管状体に、鋼管２の先端部又は外周に鋼管の外径より大きい翼４が設けられ、ねじ込みにより地中に貫入する回転管状体１ａを用いた。【選択図】図１
2010183845.tif 000002
【特許請求の範囲】
【請求項１】
管状体を公道や公道周辺又は公共施設の敷地内などの地中に埋設し、該管状体内に土を投入して樹木を植え込んだことを特徴とする樹木の設置方法。
【請求項２】
前記管状体が、鋼管、コンクリート管又は樹脂管であることを特徴とする請求項１記載の樹木の設置方法。
【請求項３】
前記管状体が、鋼管の先端部又は外周に前記鋼管の外径より大きい翼が設けられ、ねじ込みにより地中に貫入される回転管状体であることを特徴とする請求項１記載の樹木の設置方法。
【請求項４】
前記管状体又は回転管状体が、外径が３００〜２０００ｍｍ、長さが２〜１５ｍの丸形鋼管又は角形鋼管であることを特徴とする請求項１〜３のいずれかに記載の樹木の設置方法。
【請求項５】
前記管状体が、複数枚の矢板を継手部で嵌合して構成した管状体であることを特徴とする請求項１記載の樹木の設置方法。
【請求項６】
前記管状体又は回転管状体の先端底部が閉塞されていることを特徴とする請求項１〜５のいずれかに記載の樹木の設置方法。
【請求項７】
前記先端底部が閉塞されている管状体又は回転管状体内の下部に、空隙を多く有する材料を投入したことを特徴とする請求項６記載の樹木の設置方法。
【請求項８】
前記管状体又は回転管状体の周壁に、複数の小孔又はスリットを設けたことを特徴とする請求項１〜７のいずれかに記載の樹木の設置方法。
【発明の詳細な説明】
【技術分野】
【０００１】
本発明は、歩道や車道などの公道や公道の周辺、公園等の公共施設の敷地内などに、街路樹等の樹木を設置する樹木の設置方法に係り、より詳しくは、街路樹等の樹木の根上がりを防止するようにした樹木の設置方法に関するものである。
一般的に、樹木とは、幹と枝があり、地面に根を張って生長する木を意味しており、本発明は、車道の周辺や歩道に植えられる街路樹の他、公園や病院、学校、市役所などの公共施設の敷地内や周辺に植えられる樹木を設置する際に好適な樹木の設置方法に関するものである。
【背景技術】
【０００２】
街路樹は、市街地の道路の両側などに植えられる樹木であり、都市の景観を向上し、市民にやすらぎの場を与え、歩行者の日陰の確保や、火災時の延焼の遮断など様々な面で利用されている。また、葉からの水分蒸発により大気を冷却する効果もあり、近年問題になっている都市部のヒートアイランド現象を緩和する役割りも期待できる。
【０００３】
しかし、街路樹は道路や歩道のコンクリートやアスファルトで囲まれた場所に設置されるため、街路樹の根が歩道の上部を持ち上げる、いわゆる根上がりの現象が生じ、歩道や道路に凹凸ができてしまう。歩道に凹凸ができると、車椅子やベビーカーなどを利用する人々にとって非常に危険な状態になる。高齢化の進展で、バリアフリーを目指すまちづくりが行われているにもかかわらず、お年寄りがつまづいて倒れたり、車椅子がうまく動かないなど、街路樹の根上りは問題となる。さらに、歩道などの道路に限らず、公園などでも木の根が地上に出ていると、つまづいたりして怪我のもとになる。また、それを補修するためにはコストがかかる。
【０００４】
さらに、木の根が地中を縦横無尽に張り巡らされると、下水管などの地中埋設管に巻きついたり、管の中に侵入して下水等の流れを阻害し、下水等が地中や地上にあふれることがあり、その改修に多大の労力やコストが必要になる。
このような樹木の根上がりや地中埋設管への影響は、街路樹だけでなく公園などでも見られる現象で、その対策は重要課題となっている。
【０００５】
また、まちづくりにおいて、区画整理や道路拡幅などの再開発が実施された場合に、街路樹等は切るか移植することになるが、木の根が広い範囲に張っていると、移植時に根を切ることになり、木の種類によってはそのまま枯れてしまうこともあるので、移植は容易ではない。このようにＣＯ2の吸収源として有用である緑をなくすことは、大きな社会問題である。
【０００６】
街路樹の根上がりは、行き場のない根が水平方向に伸びることによって生じる。このような問題を解決するために、根の回りをコンクリートブロックで囲ったり、特殊な地盤を造成することで地中に根が張り易いようにすることがある（従来技術１）。
【０００７】
また、根上がり対策に直接関係ないが、地面から地盤内の貯水面に到達する軸心方向長さと筒内部に単一の植物を育成できる程度の幅方向寸法を有し、かつ地盤内の貯水槽から水分を筒内部に通過させる透水性を有する筒状本体と、この筒状本体の筒内部に充填された多孔質粒状物を含む改良土壌を備えた底面潅水ユニットを道路の中央分離帯に設置した発明がある（例えば、特許文献１参照）。
【先行技術文献】
【特許文献】
【０００８】
【特許文献１】特開２００３−１０２２７８号公報（第３−４頁、図１、図２）
【発明の概要】
【発明が解決しようとする課題】
【０００９】
従来技術１の場合は、地中の下水管などの地中構造物が、どの位置にどのように設置されているか記録がない場合があり、試掘してみないとわからない場合が多い。そのため、根の周りをコンクリートブロックで囲う場合は、どの深さまで設置するかによって、掘削コストが大きく変化し、その上コンクリートブロックによる囲いの施工に多大の手間とコストを要する。また、根上がりを防止するために特殊な地盤を造成する場合は、地盤の造成に大きなコストがかかるばかりでなく、下水管などの地中構造物に影響を及ぼすことがある。
【００１０】
特許文献１に記載された発明は、道路の中央分離帯に設けた小植物のプランター（例えば軸方向の高さ５００ｍｍ以下、内径が１００〜２００ｍｍ程度）であり、その上中央分離帯に設けた溝内に不透水層を敷設し、その溝部分の下半部に保水性の貯水層を設け、さらにその上に培土層を設けるようにしているため、歩道等に設置する大きな街路樹の根上がり防止のために実施することはできない。
【００１１】
本発明は、上記の課題を解決するためになされたもので、街路樹等が根上がりを生ずることがなく、その上、施工、移植や撤去などがきわめて容易でコストを削減することのできる樹木の設置方法を提供することを目的とするものである。
【課題を解決するための手段】
【００１２】
本発明に係る樹木の設置方法は、管状体を公道や公道周辺又は公共施設の敷地内などの地中に埋設し、該管状体内に土を投入して樹木を植え込んだものである。
【００１３】
上記の管状体を、鋼管、コンクリート管又は樹脂管で構成した。また、上記の管状体を、鋼管の先端部又は外周に前記鋼管の外径より大きい翼が設けられ、ねじ込みにより地中に貫入される回転管状体で構成した。
上記の管状体又は回転管状体を、外径が３００〜２０００ｍｍ、長さが２〜１５ｍの丸形鋼管又は角形鋼管で構成した。
上記の管状体を、複数枚の矢板を継手部で嵌合して構成した。
【００１４】
上記の管状体又は回転管状体の先端底部が閉塞されるように形成した。
上記の先端底部が閉塞された管状体又は回転管状体内の下部に、空隙を多く有する材料を投入した。
上記の管状体又は回転管状体の周壁に、複数の小孔又はスリットを設けた。
【発明の効果】
【００１５】
本発明に係る樹木の設置方法によれば、街路樹等の樹木が根上がりを生ずることがないので歩行者等に安全であり、そのためのメンテナンスが不要である。さらに、施工、移植、撤去などが容易なので、これらと相俟ってコストを低減することができる。
【図面の簡単な説明】
【００１６】
【図１】本発明の実施の形態１に係る街路樹等の設置方法の説明図である。
【図２】実施の形態１の他の例の説明図である。
【図３】実施の形態１の他の例の説明図である。
【図４】実施の形態１の他の例の説明図である。
【図５】本発明の実施の形態２に係る街路樹等の設置方法の説明図である。
【図６】図５の回転管状体の要部の説明図である。
【図７】回転管状体の施工方法の説明図である。
【図８】回転管状体の他の例の要部の説明図である。
【図９】回転管状体の他の例の要部の説明図である。
【図１０】本発明の実施の形態３に係る管状体の説明図である。
【図１１】本発明の実施の形態４に係る管状体の説明図である。
【発明を実施するための形態】
【００１７】
［実施の形態１］
図１は本発明の実施の形態１に係る樹木の設置方法の説明図である。
図において、１は地盤１０に埋設された管状体で、この管状体１には土５を投入して街路樹である樹木２０が植え込まれている。なお、１２は地盤１０中に埋設された、例えば、水道管、下水道管、ガス管などの地中埋設管である。
【００１８】
管状体１は、例えば、鋼管、コンクリート管、樹脂管などの上下が開口された断面円形、四角形等の管体からなり、その大きさは設置する場所、植え込む樹木の種類や大きさによって異なるが、一般に、円管の場合は外径が３００〜２０００ｍｍ、長さが２〜１５ｍ程度のものが用いられる。なお、板厚は樹木２０の根２１が管状体１から横方向に張り出さなければよいので、比較的薄いものでよい（例えば、６〜２０ｍｍ程度）。
【００１９】
そして、歩道などの設置場所にオーガー等で穴１１を掘削し、この穴１１内に管状体１の全長を挿入して建て込まれて内部に土５が入れられ、上部開口部から管状体１内に根２１を挿入し、地盤１０の上面とほぼ同一平面になるまで土５を入れて、樹木２０を植え込んだものである。
【００２０】
図２〜図４は、本実施の形態の他の例を示す説明図である。
図２の場合は、管状体１の長さを短かくして、樹木２０の根２１が下方（地盤中）に伸張するのを許容したものである。地中埋設管１２の設置場所や設置深さがあらかじめわかっており、また、樹木２０の根２１の張り具合も予想できる場合は、地中埋設管１２に影響を与えない管囲で管状体１を短かくすることにより、コストを削減することができる。
【００２１】
図３の場合は、樹木２０を地盤１０の面より下げて管状体１内に植え込み、上面開口部に蓋６を設けて土５の上面との間に空間部Ｓを形成したものである。
本例によれば、木の葉が落ちたときにその処分場所として空間部Ｓを利用し、土に分解して戻すようにし、また、雨水の一時貯溜にも利用できるようにしたものである。
【００２２】
さらに、図４の場合は、管状体１の下部に礫や発泡スチロールなどの空隙を多く有する材料７を投入し、上部に樹木２０の根２１を張る土５を入れたものである。なお、管状体１の上部に入れる土は、これに植え込む樹木２０に適したものを選べばよい。また、土５を入れずに礫などの空隙を多く有する材料７で充填するようにしてもよい。このように構成することにより、水を通り易くして、通常の滞溜水や地下水などから根に水を吸収させることができ、また、降雨時の雨水を地中に浸透させることもできる。
【００２３】
本実施の形態によれば、管状体１に植え込んだ樹木２０の根２１が横方向に伸びることがないので、根上がりを生ずることがなく、通行者に安全である。また、根上がりにより歩道や車道を壊すことがないので、これまで必要であった補修などのメンテナンスを行う必要がない。さらに、植木鉢に植えた木のように、樹木の大きさを調整することができるため、街路樹の大きさを均一にするなど、街の景観整備にも役立つ。
【００２４】
また、区画整理や再開発などのために樹木を移転する場合は、管状体１と共に樹木全体を地盤１０から引き抜いて移設するようにしてもよく、あるいは樹木２０を根本から切り、管状体１と共に、切り株だけ移設して樹木２０が再生するのを待つようにしてもよい。また、樹木２０の根２１は管状体１の中にあるので、管状体１をそのままにして土をほぐし、樹木２０を根２１ごと移植してもよい。このように、本実施の形態においては、街路樹等の植え込みに管状体１を用いたので、地盤の掘削範囲を大きくすることなく、樹木２０を容易に移植することができる。
【００２５】
また、台風などで樹木２０が倒れた場合は、根本から切断して折れた樹木２０を処分すると共に、切り株からの再生を待ってもよい。また、管状体１内だけに根２１が張っているため切り株の撤去も容易なので、新しい樹木２０と植え替えるのも容易である。
さらに、まちづくりや環境の変化に応じて樹木２０の種類を変えたい場合は、既設の樹木２０を管状体１から抜いて別の場所へ移し、この管状体１に新しい樹木を植え込めばよく、その作業も簡単である。
【００２６】
また、地盤が軟弱の場合や砂地盤の場合、地震時に側方流動や液状化による被害を受け易いが、本実施の形態によれば、地盤中に管状体１が設けられているので、これらの管状体１を利用してその場所で地盤を補強することができ、この補強により、周辺の建物や配管等の損傷を防止することができる。なお、広範囲にわたって地盤の補強を行う場合は、管状体１の周囲を地盤改良するなどの方法を併用してもよい。
【００２７】
［実施の形態２］
図５は本発明の実施の形態２に係る樹木の設置方法の説明図である。なお、実施の形態１と同じ部分にはこれと同じ符号を付し、説明を省略する。
本実施の形態は、実施の形態１の管状体１を、鋼管２に翼４を取付けた回転管状体１ａで構成したものである。
【００２８】
図６は回転管状体１ａの要部を示す斜視図である。回転管状体１ａを構成する上下が開口された鋼管２（一般に鋼管が用いられるので、以下の説明では鋼管と記す）の先端部には、段部により２分割して互いに同方向に向うレ字状の切除部３が設けられ、この切除部３に扇形状の複数の平板（図には２つの場合４ａ，４ｂが示してある）を、溶接により互いに反対方向に傾斜して接合して翼４を設けたものである。この翼の大きさは、地盤の状態や鋼管２の外径などによって異なるが、一般に鋼管２の外径の１．５〜２．５倍程度である。
【００２９】
上記のように構成した回転管状体１ａは、図７に示すように、貫入機械３０に搭載された回転駆動装置３１に連結され、回転駆動装置３１を回転させながら下降させることにより、翼４のねじ作用により地盤１０中に無排土で貫入され、埋設される。回転駆動装置３１を逆方向に回転させれば、回転管状体１ａを地盤１０から引き抜くことができる。なお、回転管状体１ａは、固い地層まで貫入する必要がないため大きなトルクが作用しないので、小型の貫入機械３０で十分貫入することができる。また、回転管状体１ａの板厚は、通常の回転貫入杭と比較すると薄くすることができる。
【００３０】
図８、図９は回転管状体１ａの他の例を示すもので、図８の回転管状体１ａは、鋼管２の下端部に設けた螺旋状の切除部３ａに、鋼板を螺旋状に曲げ加工した翼４を溶接接合したものである。
また、図９の回転管状体１ａは、鋼管２の下部外周に螺旋状に曲げ加工した翼４を溶接接合したものである。
【００３１】
以上、図５、図８、図９に回転管状体１ａの一例を示したが、翼４の形状、その取付位置はこれらに限定するものではなく、鋼管２を回転することにより翼４のねじ作用により地盤に貫入しうるものであれば、他の構造であってもよく、翼４は複数段取り付けるようにしてもよい。また、杭として利用される回転貫入杭とは異なり、支持力を受け持つ必要がないため、翼４の板厚は施工に必要な程度でよく、回転貫入杭よりも薄い板厚とすることができる。また、断面円形の丸形鋼管２に翼４を設けて回転管状体１ａを構成した場合を示したが、断面四角形の角形鋼管に翼を設けたものでもよい。なお、実施の形態１の図２〜図４の場合においても管状体１に代えて、本実施の形態に係る回転管状体１ａを用いてもよい。
【００３２】
上記のような回転管状体１ａには、鋼管２の先端部が開口されている場合と閉塞されている場合とがある。先端部が開口された回転管状体１ａの場合は、地盤１０への貫入時に土砂が開口部から鋼管２内に侵入するため、無排土で施工することができる。そして、鋼管２内の土砂とその下の地盤１０とが開口部で接しているため、鋼管２内に浸入した雨水等を地中に浸透させることができる。このため、先端開口部は雨水等の排水経路の役割を果すと共に、開口部から鋼管２内に地下水を浸透させて、根２１に水分を供給することができる。
【００３３】
一方、回転管状体１ａの先端部が閉塞されている場合（例えば、図９参照）も無排土で施工することができ、さらに、施工時に鋼管２内に土砂が侵入せず中空となっているため、樹木２０の成長に適した土を鋼管２内に自由に入れることができるので設置する地盤状態が樹木２０の成長に好ましくない場合などにも適用することができる。また、先端部が閉塞状態であるため、その地盤（土地）固有の土と混ざることがないので、外来種を混在させないなどの点から環境保護としても役立つ。さらに、回転管状体１ａの下端部から樹木２０の根２１が地盤中に伸張することもない。
【００３４】
本実施の形態においても、実施の形態１の場合とほぼ同様の効果を得ることができるが、さらに施工にあたっては、オーガー等であらかじめ穴を掘削する必要がなく、回転管状体１ａを回転させるだけで地盤中に貫入して設置できるので、きわめて簡単である。
また、移転などのため撤去する場合は、周囲を掘削する必要がなく、回転管状体１ａを逆方向に回転させるだけで容易に引き抜くことができるので、設置や撤去のための工数及びコストを大幅に削減することができる。
【００３５】
［実施の形態３］
図１０は本発明の実施の形態３に係る樹木の設置方法に用いる管状体の説明図である。
本実施の形態は、実施の形態１，２に係る管状体１又は回転管状体１ａ（図には管状体１が示してある）の周壁に、樹木２０の根２１の通過を許さないか、又は細い根だけが通れる程度の複数の小穴８又はスリットを設けたものである。
この小穴８又はスリットは、樹木２０の根２１に水分を供給するための地下水などを通すためのものであり、また、降雨時に管状体１内の水を地中に浸透させるためのものである。
【００３６】
［実施の形態４］
図１１は本発明の実施の形態４に係る樹木の設置方法に用いる管状体の説明図である。
本実施の形態は、管状体１を、継手部９ａを有する複数枚の矢板９を継手部９ａで嵌合して構成した管状体１としたものである。すなわち、継手部９ａの付いた矢板９を用いて管状体１を擬似的に製作するものである。
図には、４枚の矢板９で構成した管状体１を示してあるが、閉断面の管状体１を構成できるものであれば矢板９の枚数は何枚でもよい。
管状体１の内側は外の地盤と継手部で隔離されているため、根などは外に張り出すことはない。また、継手部９ａは水みちにもなるので、樹木への水分供給や雨水の地中浸透も可能となる。必要に応じて、矢板９に小穴やスリットを設けてもよい。矢板９は圧入により施工する。このため、圧入施工の容易性から鋼矢板とすることが好ましい。
【符号の説明】
【００３７】
１  管状体、１ａ  回転管状体、２  鋼管、４  翼、５  土、６  蓋、７  礫など、８  小穴、９  矢板、９ａ  継手部、１０  地盤、１２  地中埋設管、１３  盛り土、１４  傾斜面、１５  すべり線、１６  地すべり線、２０  樹木、２１  根、３０  貫入機械。
【図１】
2010183845.tif 000003
【図２】
2010183845.tif 000004
【図３】
2010183845.tif 000005
【図４】
2010183845.tif 000006
【図５】
2010183845.tif 000007
【図６】
2010183845.tif 000008
【図７】
2010183845.tif 000009
【図８】
2010183845.tif 000010
【図９】
2010183845.tif 000011
【図１０】
2010183845.tif 000012
【図１１】
2010183845.tif 000013